(57)【要約】【課題】実装面積および部品点数の増加を伴うことなく、従来技術よりも簡単に妨害波の影響を軽減することができ、かつ、一般的な無線方式に採用可能にすること。【解決手段】本発明のアンテナ特性チューニングシステム（１）は、第１アンテナ（１０ａ）および第２アンテナ（１０ｂ）のいずれか一方を介して送信される送信波が、第１アンテナ（１０ａ）および第２アンテナ（１０ｂ）のいずれか他方を介して受信される信号の受信周波数帯に妨害波を発生させる場合、受信側のアンテナのアンテナ特性調整手段が、受信周波数帯に発生する妨害波の周波数帯から離れる方向に受信側のアンテナのアンテナ特性の中心周波数をずらすように、アンテナ特性調整手段を制御する。【選択図】図１
2014123919.tif 000002
【特許請求の範囲】
【請求項１】
第１アンテナおよび第２アンテナと、
前記第１アンテナのアンテナ特性を受信周波数帯および送信周波数帯に合わせて調整する第１アンテナ特性調整手段と、
前記第２アンテナのアンテナ特性を受信周波数帯および送信周波数帯に合わせて調整する第２アンテナ特性調整手段と、
前記第１アンテナおよび前記第２アンテナのいずれか一方を介して送信される送信波が、前記第１アンテナおよび前記第２アンテナのいずれか他方を介して受信される信号の受信周波数帯に妨害波を発生させる場合、受信側のアンテナのアンテナ特性調整手段が、受信周波数帯に発生する妨害波の周波数帯から離れる方向に受信側のアンテナのアンテナ特性の中心周波数をずらすように、前記アンテナ特性調整手段を制御する前記調整制御手段とを備えることを特徴とする、アンテナ特性チューニングシステム。
【請求項２】
前記調整制御手段は、前記第１，第２の各アンテナ特性調整手段それぞれの調整に基づく第１，第２の各アンテナそれぞれの特性である中心周波数からの差と利得の減衰量とを関連付けた調整テーブルＡに基づいて、受信周波数帯に発生する妨害波を減衰させるのに十分な減衰量に関連付けられた中心周波数からの差を特定し、該特定された差と妨害波の周波数帯とに基づいて算出された周波数を、前記受信側のアンテナのアンテナ特性の中心周波数として設定することを特徴とする、請求項１に記載のアンテナ特性チューニングシステム。
【請求項３】
前記調整制御手段は、一方のアンテナを介して送信される周波数帯の異なる各送信波それぞれについて、他方のアンテナが受信する信号の周波数帯の受信特性が最大となるときのアンテナ特性の中心周波数とを関連付けた調整テーブルＢに基づいて、前記受信側のアンテナのアンテナ特性の中心周波数として設定することを特徴とする、請求項１に記載のアンテナ特性チューニングシステム。
【請求項４】
第１アンテナおよび第２アンテナと、
前記第１アンテナのアンテナ特性を受信周波数帯および送信周波数帯に合わせて調整する第１アンテナ特性調整手段と、
前記第２アンテナのアンテナ特性を受信周波数帯および送信周波数帯に合わせて調整する第２アンテナ特性調整手段と、
前記第１アンテナおよび前記第２アンテナのいずれか一方を介して送信される送信波が、前記第１アンテナおよび前記第２アンテナのいずれか他方を介して受信される信号の受信周波数帯に妨害波を発生させる場合、送信側のアンテナのアンテナ特性調整手段が、受信周波数帯に発生する妨害波の周波数帯から離れる方向に送信側のアンテナのアンテナ特性の中心周波数をずらすように、前記アンテナ特性調整手段を制御する調整制御手段とを備えることを特徴とする、アンテナ特性チューニングシステム。
【発明の詳細な説明】
【技術分野】
【０００１】
本発明は、アンテナ特性チューニングシステムに関する。
【背景技術】
【０００２】
無線装置においては、例えば図５のような、２つの送受信回路２００ａ，２００ｂを備えたアンテナモジュールを用いて、２つの送受信回路で同時に送受信するシステムが検討・運用されている。送受信回路２００ａは、アンテナＡを有し、アンテナＡを介して送受信動作する。送受信回路２００ｂは、アンテナＢを有し、アンテナＢを介して送受信動作する。これら送受信回路２００ａ，２００ｂには、異なる周波数帯域（バンド）が割り当てられる。
【０００３】
しかしながら、一方の送受信回路の送信波の高調波や相互変調波などの妨害波の帯域が、他方の送受信回路の受信帯域に重なる周波数帯域の組み合わせが存在する。この場合、他方の送受信回路の受信感度が著しく低下することとなる。図６に、その様子を示す。アンテナＡが受信した受信波Ｒｘ（１）に、アンテナＢが送信した送信波Ｔｘ（２）の高調波成分（斜線部分）が含まれてしまい、その高調波成分が妨害波となって受信波に干渉している。
【０００４】
そこで、従来、図５に示すように、各送受信回路２００ａ，２００ｂに、ノッチフィルタ、ローパスフィルタ、アイソレーターを備えさせることにより、受信波に干渉する高調波を減衰することにより干渉を軽減している。
【０００５】
また、その他にも、妨害波の影響を軽減するための技術が、例えば特許文献１〜３に開示されている。特許文献１は、受信回路に設けた非線形素子の前段に、送信回路から出力する高周波信号を遮断するフィルタを設け、該フィルタのカットオフ周波数を、受信回路によって復調した復調信号の品質または送信回路から出力する高周波信号の出力電力に応じて調整する構成を開示している。
【０００６】
特許文献２は、複数のサブキャリア信号からなる高周波通信信号を所定の通過帯域で帯域通過ろ波する周波数可変フィルタ帯域通過の周波数を、高周波通信信号を復調するモデムの設定周波数情報に基づいて設定する構成を開示している。
【０００７】
特許文献３は、所要チャンネルを受信する通信用受信部とは別に、妨害波のチャンネルの受信レベルを検出する監視用受信部を設けて、所要チャンネルの受信レベルに占める相互変調波の受信レベルが閾値以下になるように、通信用受信部に設けた可変減衰器の減衰量を制御する構成を開示している。
【先行技術文献】
【特許文献】
【０００８】
【特許文献１】特開２００７−１２４５２８号公報（２００７年５月１７日公開）
【特許文献２】特開２００７−２４３６６２号公報（２００７年９月２０日公開）
【特許文献３】特開２０００−６８８７０号公報（２０００年３月３日公開）
【発明の概要】
【発明が解決しようとする課題】
【０００９】
しかしながら、ノッチフィルタ、ローパスフィルタ、アイソレーターを備えさせる構成では、部品点数が増加するため、実装面積および部品コストが増加するといった問題がある。特許文献３に記載された、通信用受信部とは別に監視用受信部を設ける構成も同様であり、実装面積および部品コストの増加は否めない。さらに、部品追加に伴い、回路の損失が増加するため、満足な特性が得られなくなる可能性もある。
【００１０】
また、特許文献１に記載の技術は、復調信号の品質または送信回路から出力する高周波信号の出力電力に応じてカットオフ周波数を調整するため、受信特性の監視が必要となり、処理も複雑になる。また、特許文献２に記載の技術は、複数のサブキャリア信号を用いるＯＦＤＭなどの特定の無線方式に限定され、一般的な無線方式には採用できない。
【００１１】
本発明は、上記課題を解決するためになされたものであり、この発明の目的は、実装面積および部品点数の増加を伴うことなく、従来技術よりも簡単に妨害波の影響を軽減することができ、かつ、一般的な無線方式に採用可能なアンテナ特性チューニングシステムを提供することである。
【課題を解決するための手段】
【００１２】
上記の課題を解決するために、本発明の一態様に係るアンテナ特性チューニングシステムは、アンテナと、前記アンテナのアンテナ特性を受信周波数帯に併せて調整するアンテナ特性調整手段と、前記アンテナ特性調整手段が、受信周波数帯に応じて設定されるアンテナ特性の中心周波数を、受信周波数帯に発生する妨害波の周波数帯から離れる方向にずらすように、前記アンテナ特性調整手段を制御する調整制御手段とを有する。
【発明の効果】
【００１３】
本発明の一態様によれば、実装面積および部品点数の増加を伴うことなく、従来技術よりも簡単に妨害波の影響を軽減することができ、かつ、一般的な無線方式に採用可能にすることができるといった効果を奏する。
【図面の簡単な説明】
【００１４】
【図１】本発明の第１の実施形態におけるアンテナ特性チューニングシステムの一例を示す機能ブロック図である。
【図２】第１アンテナのアンテナ特性および周波数と減衰量の一例を示す図である。
【図３】アンテナ特性の中心周波数をずらす前後における第１アンテナのアンテナ特性と高調波の関係を示す図である。
【図４】第３調整テーブルの一例を示す図である。
【図５】従来の無線装置の一例を示す機能ブロック図である。
【図６】妨害波が受信周波数帯に干渉していることを示す図である。
【発明を実施するための形態】
【００１５】
図面を参照しつつ、本発明の実施の形態について説明する。以下の説明では、同一の部品には同一の符号を付してある。それらの名称および機能も同じである。したがって、それらについての詳細な説明は繰り返さない。
【００１６】
〔第１の実施形態〕
図１は、本発明の第１の実施形態におけるアンテナ特性チューニングシステムの一例を示す機能ブロック図である。図１に示されるように、アンテナ特性チューニングシステム１は、第１送受信回路１００ａと、第２送受信回路１００ｂと、これらを制御するＣＰＵ／モデム（調整制御手段）６０と、ＣＰＵ／モデム６０によって実行されるプログラム等が記憶されたメモリ７０とを備える。
【００１７】
第１，２送受信回路１００ａ，１００ｂそれぞれには、後述するように、異なる周波数帯域（バンド）が割り当てられ、同時に送信動作および受信動作が可能である。
【００１８】
第１送受信回路１００ａは、第１アンテナ１０ａと、第１チューナー（アンテナ特性調整手段）２０ａと、第１デュプレクサ３０ａと、第１高周波増幅回路（Ｐｏｗｅｒ  Ａｍｐｌｉｆｉｅｒ：ＰＡ）４０ａと、第１トランシーバ５０ａとを含む。第２送受信回路１００ｂは、第２アンテナ１０ｂと、第２チューナー２０ｂと、第２デュプレクサ３０ｂと、第２高周波増幅回路（Ｐｏｗｅｒ  Ａｍｐｌｉｆｉｅｒ：ＰＡ）４０ｂと、第２トランシーバ５０ｂとを含む。第２送受信回路１００ｂは、第１送受信回路１００ａと機能および構成が同じであるので、ここでは第１送受信回路１００ａを例に説明する。なお、第１送受信回路１００ａが有する部材の名称に含まれる「第１」を「第２」に変更し、部材番号の後の記号「ａ」を「ｂ」に変更したものが、第２送受信回路１００ｂが有する部材に対応するものである。
【００１９】
第１トランシーバ５０ａは、複数の部品を介して第１アンテナ１０ａに接続され、第１アンテナ１０ａを介して基地局との間で信号を送受信する。具体的には、第１トランシーバ５０ａは、第１アンテナ１０ａにより受信された複数の受信波を第１デュプレクサ３０ａを介して第１アンテナ１０ａから入力される複数の受信信号からＣＰＵ／モデム６０の指示に応じて特定の周波数の受信信号を取り出し、復調する。また、第１トランシーバ５０ａは、ＣＰＵ／モデム６０の指示に基づいて変調した信号を第１ＰＡ４０ａに出力し、第１ＰＡ４０ａは入力された信号を増幅して第１デュプレクサ３０ａを介して、第１アンテナ１０ａに出力し、第１アンテナ１０ａに送信信号を含む送信波を送信させる。
【００２０】
第１デュプレクサ３０ａは、所定の通過帯域の周波数成分を通過させるフィルタであり、例えば内部に２つのバンドパスフィルタを備える。具体的に、第１デュプレクサ３０ａは、第１チューナー２０ａから入力された受信信号を通過させ、第１トランシーバ５０ａに出力する。また、第１デュプレクサ３０ａは、第１ＰＡ４０ａによって増幅された送信信号を通過させ、第１チューナー２０ａに出力する。
【００２１】
第１トランシーバ５０ａは、ＣＰＵ／モデム６０によって制御され、送信に使用する周波数帯（以下、送信周波数帯）および受信に使用する周波数帯（以下、受信周波数帯）を、基地局によって指定された周波数帯にそれぞれ設定する。具体的には、端末が基地局に接続をする場合、第１トランシーバ５０ａは、ＣＰＵ／モデム６０からの指示に従ってメモリ７０に予め記憶された周波数帯を設定し、この周波数帯にある基地局を検索する。基地局が見つかれば、その基地局の情報を読み取り、基地局に接続する。このとき、見つけた基地局が使用している周波数を第１トランシーバ５０ａに設定する。これ以降は、設定された周波数帯を利用して、第１送受信回路１００ａは基地局と通信する。また、通信状態等に応じて基地局から通信する基地局を変更する場合があるが、その場合は基地局の変更に応じて、第１トランシーバ５０ａの設定を変更して通信する。
【００２２】
ＣＰＵ／モデム６０は、送信周波数帯および受信周波数帯が決定されると、受信動作に備えて、アンテナ特性を制御する制御信号を第１チューナー２０ａに出力し、第１アンテナ１０ａのアンテナ特性を制御する。具体的には、第１チューナー２０ａを制御して、第１アンテナ１０ａにおけるアンテナ特性（受信）の中心周波数を、第２アンテナ１０ｂの送信波によって第１アンテナ１０ａの受信周波数帯に発生する高調波（妨害波）の周波数帯に対して離す方向にずらす。
【００２３】
第１アンテナ１０ａにおけるアンテナ特性の中心周波数をずらす程度は、メモリ７０に記憶されている第１調整テーブルに、例えば５段階レベルで関連付けている。ＣＰＵ／モデム６０は、第２送受信回路１００ｂの送信周波数帯（第２アンテナ１０ｂの送信波の周波数）に基づいて第１調整テーブルより最適な受信特性が得られるレベルを選択して指示し、第１チューナー２０ａが指示に応じて中心周波数をずらす。これにより、中心周波数から離れた位置に高調波の周波数帯が位置するようになる。
【００２４】
図２は、第１アンテナのアンテナ特性および周波数と減衰量の一例を示す図である。横軸は周波数を示し、縦軸は利得を示す。図２は、受信波の周波数帯ｆ０〜ｆ６における第１アンテナ１０ａのアンテナ特性を示す。ここで、第１アンテナ１０ａのアンテナ特性の中心周波数は、第１チューナー２０ａによって周波数ｆ３に設定されている。なお、周波数ｆ０〜ｆ２、ｆ４〜ｆ６は、周波数ｆ３から等間隔に離した周波数を示している。また、第１アンテナ１０ａのアンテナ特性において、減衰量は周波数ｆ３の近傍で少なく、周波数ｆ３から離れると急減に多くなる。ここでは、周波数ｆ３に対応する減衰量ｄ０、周波数ｆ２，ｆ４に対応する減衰量ｄ１、周波数ｆ１，ｆ５に対応する減衰量ｄ２、周波数ｆ０，ｆ６に対応する減衰量ｄ３として示している。
【００２５】
図３（ａ），（ｂ）は、アンテナ特性の中心周波数をずらす前後における第１アンテナのアンテナ特性と高調波の関係を示す図である。図３（ａ）が第１アンテナのアンテナ特性の中心周波数をずらす前のものに対応し、図３（ｂ）が第１アンテナのアンテナ特性の中心周波数をずらした後のものに対応する。なお、図３（ａ）において、中心周波数をずらす前における第１アンテナ１０ａのアンテナ特性および周波数と減衰量の関係は、図２に示すものと同じである。
【００２６】
図３（ａ）では、第２アンテナ１０ｂによって送信される送信波によって第１アンテナ１０ａの受信周波数帯ｆ０〜ｆ６のうち周波数帯ｆ０〜ｆ２に高調波が発生していることを示している。例えば、第２アンテナ１０ｂによる送信波の周波数帯が７０９〜７１４（ＭＨｚ）であり、第１アンテナ１０ａによる受信波の周波数帯が２１３５〜２１５５（ＭＨｚ）（中心周波数：２１４５（ＭＨｚ））である場合、送信波の３倍高調波の周波数帯２１２７〜２１４２（ＭＨｚ）が受信波に干渉する。
【００２７】
一方、第１アンテナ１０ａのアンテナ特性の中心周波数を周波数ｆ５にずらすと、第１アンテナ１０ａのアンテナ特性は、図３（ｂ）のようになる。具体的に、第２アンテナ１０ｂによって送信される送信波の高調波成分が、ずらす前に比べて中心周波数から離れたので、ずらす前に比べて減衰量が多くなる（減衰量ｄ５，ｄ６）。これにより、送信波の高調波が受信波に対して干渉することを軽減することができる。
【００２８】
例えば、上述したように第２アンテナ１０ｂによる送信波の周波数帯が７０９〜７１４（ＭＨｚ）であり、第１アンテナ１０ａによる受信波の周波数帯が２１３５〜２１５５（ＭＨｚ）である場合、２１４５（ＭＨｚ）から受信波の周波数帯の上端（高調波と重なる側とは反対側の端）である２１５５（ＭＨｚ）に中心周波数の設定を変更することで、送信波の高調波による受信波に対する干渉の軽減が可能である。
【００２９】
また、第１アンテナ１０ａのアンテナ特性の中心周波数が周波数ｆ３であるときは、高調波の周波数帯ｆ０〜ｆ２の減衰量ｄ３，ｄ２と少なく、高調波が受信信号に入り込みやすかった。また、受信波の周波数帯の上端ｆ６で減衰量ｄ３とやや多くなっている。
【００３０】
それに対して、第１アンテナ１０ａのアンテナ特性の中心周波数が周波数ｆ５であるときは、高調波の周波数帯ｆ０〜ｆ２の減衰量ｄ５，ｄ４と多く、高調波が受信信号に入り込むことを防ぐことができる。また、受信波の周波数帯の上端ｆ６で減衰量ｄ１と少なくできる。したがって、受信波において高調波の周波数帯と一致する帯域の減衰量を増加させ、高調波の周波数帯に近い帯域ほど減衰量を多く、高調波の周波数帯から離れている帯域ほど少なくすることで、受信周波数帯全体の受信感度を向上させることができる。
【００３１】
第１アンテナ１０ａのアンテナ特性は、中心周波数の近傍で減衰量が少なく、離れた位置では急激に減衰量が多くなる。中心周波数をずらすことで、第１アンテナ１０ａの受信周波数帯に生じた高調波は、その周波数帯が中心周波数から離れた位置に位置するため、中心周波数をずらす前に比べて減衰量が多くなる。したがって、第１アンテナ１０ａのアンテナ特性の中心周波数を、高調波の周波数帯に対して離れる方向にずらすことにより、高調波による受信波に対する干渉を少なくすることができる。
【００３２】
また、第１アンテナ１０ａのアンテナ特性は、第１アンテナ１０ａの受信波周波数帯において、高調波の周波数帯に近いほど減衰量が多く、高調波の周波数帯から離れるほど減衰量が少なくなっている。すなわち、受信周波数帯において、高調波の周波数帯に近い帯域は、高調波の影響を大きく受け、高調波の周波数帯から遠い帯域は、高調波の影響を受けにくいので、高調波の周波数帯に近い帯域の減衰量を多くし、高調波の周波数帯から遠い帯域の減衰量を少なくすることで、第１アンテナ１０ａの受信周波数帯において高調波の周波数帯以外の帯域の受信感度を向上させることができる。
【００３３】
以上のように、第１アンテナ１０ａのアンテナ特性の中心周波数を、高調波の周波数帯に対して離れる方向にずらすことにより、受信波において妨害を受ける周波数帯の減衰量を増加させ、妨害を受けない周波数帯の減衰量を高調波の周波数帯に近いほど多く、高調波の周波数帯から離れるほど少なくすることができるので、第１アンテナ１０ａの受信周波数帯域全体の受信感度を改善することができる。
【００３４】
したがって、第１アンテナ１０ａのアンテナ特性の中心周波数を、高調波の周波数帯に対して離れる方向にずらすことで、受信帯域全体の受信感度を改善することができるので、従来とは異なりノッチフィルタ、ローパスフィルタおよびアイソレーターなどのような妨害波を軽減するための回路を設ける必要がなくなる。これにより、コストを軽減することができる。
【００３５】
なお、上記の説明では、第２送受信回路１００ｂの送信波の周波数帯に基づいて、第１送受信回路１００ａの第１アンテナ１０ａのアンテナ特性をずらす場合のみを説明したが、当然、第１送受信回路１００ａの送信波の周波数帯に基づいて、第２送受信回路１００ｂの第２アンテナ１０ｂのアンテナ特性をずらすことも実施される。
【００３６】
〔変形例〕
変形例において、アンテナ特性チューニングシステム１は、メモリ７０に記憶された第２調整テーブルに基づいて、第１アンテナ１０ａのアンテナ特性（受信）を調整する構成である。
【００３７】
第２調整テーブルは、第１アンテナ１０ａのアンテナ特性（受信）の中心周波数との差ｘ（ＭＨｚ）と、減衰量ｙ（ｄＢ）とを関連付けている。第１チューナー２０ａは、特定の減衰量となる周波数をカットオフ周波数として、アンテナ特性の中心周波数を特定する。特定の減衰量は、第１アンテナ１０ａの受信周波数帯に発生している高調波を減衰させるのに十分な値であればよく、その値は信号強度とノイズの強度によって変わる。そして、その減衰量に関連付けられた周波数と高調波の周波数帯、ここでは高調波の周波数帯のうち受信波の周波数帯に近い側の周波数とに基づいて算出された周波数を第１アンテナ１０ａのアンテナ特性の中心周波数として設定する。
【００３８】
例えば、第２調整テーブルは、中心周波数から５（ＭＨｚ）離れると、ｄ３（ｄＢ）特性が劣化するレコードを含んでいるとした場合において、高調波の周波数帯のうち受信波の周波数帯に近い側の周波数、ここでは減衰量ｄ３（ｄＢ）となる２１４２（ＭＨｚ）がカットオフ周波数と定められる。これにより、第１アンテナ１０ａのアンテナ特性の中心周波数を２１４５（ＭＨｚ）から２１４７（ＭＨｚ）に設定を変更することができる。
【００３９】
なお、カットオフ周波数は、そのときのノイズの強度、アンテナ特性によって変わる。そのため、想定されるノイズの強度を十分に無効にできる減衰量が得られるアンテナ特性が減衰した点（中心周波数との差）を求め、その点をカットオフ周波数とする。
【００４０】
〔第２の実施形態〕
第２の実施形態において、アンテナ特性チューニングシステム１は、メモリ７０に記憶された第３調整テーブルに基づいて、第１アンテナ１０ａのアンテナ特性（受信）を調整する構成である。
【００４１】
第３調整テーブルは、第２アンテナ１０ｂによる送信波の異なる複数の周波数それぞれについて、第１アンテナ１０ａのアンテナ特性が最大となる周波数を関連付ける。具体的に、メモリ７０は、図４に示すような第３調整テーブルを記憶する。第３調整テーブルは、第２アンテナ１０ｂを備える第２送受信回路１００ｂに割り当てられた複数の送信チャネル毎に、第１送受信回路１００ａに割り当てられた受信チャネルの各中心周波数を最適な量ずらした受信アンテナ特性設定値を関連付けている。これにより、ＣＰＵ／モデム６０は、第２送受信回路１００ｂによる送信動作時の送信周波数に応じて、その周波数に関連付けられた周波数を第１送受信回路１００ａのアンテナ特性の中心周波数に設定する。
【００４２】
なお、上述の実施形態においては、第２送受信回路１００ｂの送信波によって第１送受信回路１００ａの受信周波数帯に発生させる妨害波から離れる方向に、第１送受信回路１００ａが有する第１アンテナ１０ａの受信時のアンテナ特性の中心周波数をずらすものであったが、これに限定するものではない。第１送受信回路１００ａの受信周波数帯に発生する妨害波の周波数帯が、第１送受信回路１００ａの受信周波数帯の端に近づく方向に、第２送受信回路１００ｂが有する第２アンテナ１０ｂの送信時のアンテナ特性の中心周波数をずらすようにしてもよい。
【００４３】
〔まとめ〕
本発明の一態様に係るアンテナ特性チューニングシステム１は、第１アンテナ１０ａおよび第２アンテナ１０ｂと、前記第１アンテナ１０ａのアンテナ特性を受信周波数帯および送信周波数帯に合わせて調整する第１アンテナ特性調整手段（第１チューナー２０ａ）と、前記第２アンテナ１０ｂのアンテナ特性を受信周波数帯および送信周波数帯に合わせて調整する第２アンテナ特性調整手段（第２チューナー２０ｂ）と、前記第１アンテナ１０ａおよび前記第２アンテナ１０ｂのいずれか一方を介して送信される送信波が、前記第１アンテナ１０ａおよび前記第２アンテナ１０ｂのいずれか他方を介して受信される信号の受信周波数帯に妨害波を発生させる場合、受信側のアンテナのアンテナ特性調整手段が、受信周波数帯に発生する妨害波の周波数帯から離れる方向に受信側のアンテナのアンテナ特性の中心周波数をずらすように、前記アンテナ特性調整手段を制御する前記調整制御手段（ＣＰＵ／モデム６０）とを備える。
【００４４】
上記の構成によれば、受信周波数帯に生じた妨害波は、その周波数帯が中心周波数から離れた位置に位置するため、中心周波数をずらす前に比べて減衰量が多くなる。したがって、受信側のアンテナ特性の中心周波数を、妨害波の周波数帯に対して離れる方向にずらすことにより、妨害波による受信波に対する干渉を少なくすることができる。
【００４５】
また、受信周波数帯において、妨害波の周波数帯に近い帯域は、妨害波の影響を大きく受け、妨害波の周波数帯から遠い帯域は、妨害波の影響を受けにくいので、妨害波の周波数帯に近い帯域の減衰量が多く、妨害波の周波数帯から遠い帯域の減衰量が少なくなることで、受信周波数帯において妨害波の周波数帯以外の帯域の受信感度を向上させることができる。したがって、受信周波数帯域全体の受信感度を改善することができる。
【００４６】
さらに、アンテナ特性の中心周波数を、妨害波の周波数帯に対して離れる方向にずらすことで、受信周波数帯域全体の受信感度を改善することができるので、従来とは異なりノッチフィルタ、ローパスフィルタおよびアイソレーターなどのような妨害波を軽減するための回路を設ける必要がなくなる。これにより、コストを軽減することができる。
【００４７】
したがって、実装面積および部品点数の増加を伴うことなく、従来技術よりも簡単に妨害波の影響を軽減することができ、かつ、一般的な無線方式に採用可能なアンテナ特性チューニングシステム１を提供することができる。
【００４８】
例えば、本発明の一態様に係るアンテナ特性チューニングシステム１において、前記調整制御手段は、前記第１，第２の各アンテナ特性調整手段それぞれの調整に基づく第１，第２の各アンテナ１０ａ，１０ｂそれぞれの特性である中心周波数からの差と利得の減衰量とを関連付けた調整テーブルＡ（第２調整テーブル）に基づいて、受信周波数帯に発生する妨害波を減衰させるのに十分な減衰量に関連付けられた中心周波数からの差を特定し、該特定された差と妨害波の周波数帯とに基づいて算出された周波数を、前記受信側のアンテナのアンテナ特性の中心周波数として設定する。
【００４９】
上記の構成によれば、妨害波の減衰量を特定の値に決めることで、中心周波数を容易に算出することができる。
【００５０】
本発明の一態様に係るアンテナ特性チューニングシステム１において、前記調整制御手段は、一方のアンテナを介して送信される周波数帯の異なる各送信波それぞれについて、他方のアンテナが受信する信号の周波数帯の受信特性が最大となるときのアンテナ特性の中心周波数とを関連付けた調整テーブルＢ（第３調整テーブル）に基づいて、前記受信側のアンテナのアンテナ特性の中心周波数として設定する。
【００５１】
上記の構成によれば、送信波の周波数に対応する最適な中心周波数が予め定められているので、中心周波数の設定が容易である。
【００５２】
また、本発明の一態様に係るアンテナ特性チューニングシステムにおいて、第１アンテナ１０ａおよび第２アンテナ１０ｂと、前記第１アンテナ１０ａのアンテナ特性を受信周波数帯および送信周波数帯に合わせて調整する第１アンテナ特性調整手段（第１チューナー２０ａ）と、前記第２アンテナ１０ｂのアンテナ特性を受信周波数帯および送信周波数帯に合わせて調整する第２アンテナ特性調整手段（第２チューナー２０ｂ）と、前記第１アンテナ１０ａおよび前記第２アンテナ１０ｂのいずれか一方を介して送信される送信波が、前記第１アンテナ１０ａおよび前記第２アンテナ１０ｂのいずれか他方を介して受信される信号の受信周波数帯に妨害波を発生させる場合、送信側のアンテナのアンテナ特性調整手段が、受信周波数帯に発生する妨害波の周波数帯から離れる方向に送信側のアンテナのアンテナ特性の中心周波数をずらすように、前記アンテナ特性調整手段を制御する調整制御手段（ＣＰＵ／モデム６０）とを備える。
【００５３】
上記の構成によれば、実装面積および部品点数の増加を伴うことなく、従来技術よりも簡単に妨害波の影響を軽減することができ、かつ、一般的な無線方式に採用可能なアンテナ特性チューニングシステム１を提供することができる。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５５】
最後に、アンテナ特性チューニングシステム１の各ブロックは、集積回路（ＩＣチップ）上に形成された論理回路によってハードウェア的に実現してもよい。
【００５６】
アンテナ特性チューニングシステム１は、各機能を実現するプログラムの命令を実行するＣＰＵとともに、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるアンテナ特性チューニングシステム１の制御プログラムのプログラムコード（実行形式プログラム、中間コードプログラム、ソースプログラム）をコンピュータで読み取り可能に記録した記録媒体を、上記アンテナ特性チューニングシステム１に供給し、そのコンピュータ（またはＣＰＵやＭＰＵ）が記録媒体に記録されているプログラムコードを読み出し実行することによっても、達成可能である。
【００５７】
〔第３の実施形態：ソフトウェアによる実現例〕
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００５８】
また、アンテナ特性チューニングシステム１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【符号の説明】
【００５９】
１  アンテナ特性チューニングシステム
１０ａ  第１アンテナ
１０ｂ  第２アンテナ
２０ａ  第１チューナー（第１アンテナ特性調整手段）
２０ｂ  第２チューナー（第２アンテナ特性調整手段）
３０ａ  第１デュプレクサ
３０ｂ  第２デュプレクサ
４０ａ  第１高周波増幅回路
４０ｂ  第２高周波増幅回路
５０ａ  第１トランシーバ
５０ｂ  第２トランシーバ
６０  ＣＰＵ／モデム（調整制御手段）
７０  メモリ
１００ａ  第１送受信回路
１００ｂ  第２送受信回路
【図１】
2014123919.tif 000003
【図２】
2014123919.tif 000004
【図３】
2014123919.tif 000005
【図４】
2014123919.tif 000006
【図５】
2014123919.tif 000007
【図６】
2014123919.tif 000008